【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
着色ピクセル化光を発生するためのディスプレイ装置であって、
前記ディスプレイ装置は、
ａ）ポンプビーム光を供給するためのバックライトユニットと、
ｂ）ピクセルを持ち、ポンプビーム光に応答する微小共振器型光発生アレイと、
ｃ）前記微小共振器型光発生アレイからの選択されたディスプレイ光を通過させるための光シャッターと、
ｄ）前記微小共振器型光発生アレイと前記光シャッターとの間に配置した偏光層と、
ｅ）前記光シャッター上に配置した、ディスプレイ光の視野角を広げるためのビームエキスパンダと、
を備え、
前記ピクセルはそれぞれ、
ｉ）透明基板と、
ｉｉ）所定の波長範囲の光を反射するボトム誘電スタックと、
ｉｉｉ）ディスプレイ光を発生するための、ポンプビーム光に応答する活性領域と、
ｉｖ）前記ボトム誘電スタックと離して設けられ、所定の波長範囲の光を反射するトップ誘電スタックと、
を含むことを特徴とするディスプレイ装置。
【請求項２】
請求項１に記載のディスプレイ装置において、
異なるピクセルの前記活性領域は、前記ポンプビーム光に応じて、異なる色のディスプレイ光を発生することを特徴とするディスプレイ装置。
【請求項３】
請求項１に記載のディスプレイ装置において、
前記ポンプビーム光は、少なくとも１つの誘電スタックを透過して前記活性領域に差し込むことを特徴とするディスプレイ装置。
【請求項４】
請求項１に記載のディスプレイ装置において、
前記光シャッターは、
選択されたディスプレイ光を透過させるための、印加された界に応答する液晶を含む少なくとも１つの層と、
前記液晶層の選択された部分に前記界を印加するための手段と、
を含むことを特徴とするディスプレイ装置。
【請求項５】
請求項１に記載のディスプレイ装置において、
前記光シャッターは、偏光フィルムから成る少なくとも１つの層を含むことを特徴とするディスプレイ装置。
【請求項６】
請求項１に記載のディスプレイ装置において、
前記活性領域は、
少なくとも１つの周期的利得領域と、
前記周期的利得領域のいずれかの側に、前記周期的利得領域がデバイスの定常波電磁界の波腹の位置となるように配置されているスペーサ層と、
を含むことを特徴とするディスプレイ装置。
【請求項７】
請求項６に記載のディスプレイ装置において、
前記周期的利得領域は、無機ナノ粒子を含むことを特徴とするディスプレイ装置。
【請求項８】
着色ピクセル化光を発生するためのディスプレイ装置であって、
前記ディスプレイ装置は、
ａ）ポンプビーム光を供給するためのバックライトユニットと、
ｂ）ピクセルを持ち、ポンプビーム光に応答する微小共振器型光発生アレイと、
ｃ）前記微小共振器型光発生アレイからの選択された着色光を通過させるための光シャッターと、
ｄ）前記微小共振器型光発生アレイと前記光シャッターとの間に配置した偏光層と、
ｅ）異なる部分を含み、かつ前記選択された着色光の視野角を広げるために取り付けた色変換層であって、選択された前記異なる部分が青色の光に応じて異なる色の光を発生する、色変換層と、
を含み、
前記ピクセルはそれぞれ、
ｉ）透明基板と、
ｉｉ）所定の波長範囲の光を反射するボトム誘電スタックと、
ｉｉｉ）青色光を発生するための、ポンプビーム光に応答する活性領域と、
ｉｖ）前記ボトム誘電スタックと離して設けられ、所定の波長範囲の光を反射するトップ誘電スタックと、
を含むことを特徴とするディスプレイ装置。
【請求項９】
請求項８に記載のディスプレイ装置において、
前記色変換層は、赤色ディスプレイ光および緑色ディスプレイ光を発生するための、異なる色変化材料を含むことを特徴とするディスプレイ装置。
【請求項１０】
請求項８に記載のディスプレイ装置において、
前記光シャッター上に配置した、前記色変換層からの赤色光および緑色光を反射するための、第３の誘電スタックを更に含むことを特徴とするディスプレイ装置。
【請求項１１】
請求項８に記載のディスプレイ装置において、
前記光シャッターは、
選択されたディスプレイ光を透過させるための、印加された界に応答する液晶を含む少なくとも１つの層と、
前記液晶層の選択された部分に前記界を印加するための手段と、
を含むことを特徴とするディスプレイ装置。
【請求項１２】
請求項８に記載のディスプレイ装置において、
前記光シャッターは、偏光フィルムから成る少なくとも１つの層を含むことを特徴とするディスプレイ装置。
【手続補正２】
【補正対象書類名】明細書
【補正対象項目名】００９０
【補正方法】変更
【補正の内容】
【００９０】
光シャッター層３１０からのＣＦＡの除去によって得られる効率のアップに加え、光源としての大面積の青色発光微小共振器型アレイデバイスには別の長所がある。青色微小共振器光放出はほぼ平行化されているため、視角補償フィルムとコリメーティングフィルム（通常、バックライトユニット２２０中に見られる）の両方をディスプレイ構造から除くことができる。ディスプレイ構造から視角補償フィルムとコリメーティングフィルムを省くことで、液晶ディスプレイデバイスのコストを下げることができる。
＜付記＞
（１）請求項１に記載のディスプレイ装置において、前記光シャッターは、エレクトロウェッティングスイッチを備える少なくとも１つの層を含むディスプレイ装置。
（２）請求項１に記載のディスプレイ装置において、前記バックライトユニットは、発光ダイオードまたは冷陰極蛍光ランプを含むディスプレイ装置。
（３）請求項６に記載のディスプレイ装置において、異なるピクセルの前記周期的利得領域は、赤色光、緑色光、または青色光を発するディスプレイ装置。
（４）請求項６に記載のディスプレイ装置において、前記周期的利得領域は、有機ホスト材料と、ドーパントと、を含むディスプレイ装置。
（５）請求項６に記載のディスプレイ装置において、前記スペーサ層は、ポンプビーム光および微小共振器光に対してほぼ透明であるディスプレイ装置。
（６）上記（５）に記載のディスプレイ装置において、前記スペーサ層は、１，１−ビス（４−ビス（４−メチルフェニル）アミノフェニル）シクロヘキサンまたは二酸化ケイ素を含むディスプレイ装置。
（７）上記（４）に記載のディスプレイ装置において、前記周期的利得領域の、緑色光を発する部分は、アルミニウム＝トリス（８−ヒドロキシキノリン）であるホスト材料と、［１０−（２−ベンゾチアゾリル）−２，３，６，７−テトラヒドロ−１，１，７，７−テトラメチル−１Ｈ，５Ｈ，１１Ｈ−［１］ベンゾピラノ［６，７，８−ｉｊ］キノリジン−１１−オン］であるドーパントと、を含むディスプレイ装置。
（８）上記（４）に記載のディスプレイ装置において、前記周期的利得領域の、赤色光を発する部分は、アルミニウム＝トリス（８−ヒドロキシキノリン）であるホスト材料と、［４−（ジシアノメチレン）−２−ｔ−ブチル−６−（１，１，７，７−テトラメチルジュロリジル−９−エニル）−４Ｈ−ピラン］であるドーパントと、を含むディスプレイ装置。
（９）上記（４）に記載のディスプレイ装置において、前記周期的利得領域の、青色光を発する部分は、２−ｔｅｒｔ−ブチル−９，１０−ジナフタレン−２−イル−アントラセンであるホスト材料と、２，５，８，１１−テトラキス（１，１−ジメチルエチル）ペリレンであるドーパントと、を含むディスプレイ装置。
（１０）請求項６に記載のディスプレイ装置において、前記周期的利得領域は、ポリマー系材料を含むディスプレイ装置。
（１１）請求項８に記載のディスプレイ装置において、前記ポンプビーム光は、少なくとも１つの前記誘電スタックを透過して前記活性領域に差し込む、ディスプレイ装置。
（１２）請求項８に記載のディスプレイ装置において、前記光シャッターは、エレクトロウェッティングスイッチを備えた少なくとも１つの層を含むディスプレイ装置。
（１３）請求項８に記載のディスプレイ装置において、前記バックライトユニットは、発光ダイオードまたは冷陰極蛍光ランプを含むディスプレイ装置。
（１４）請求項８に記載のディスプレイ装置において、前記活性領域は、少なくとも１つの周期的利得領域と、前記周期的利得領域のいずれかの側に、前記周期的利得領域がデバイスの定常波電磁界の波腹の位置となるように配置されているスペーサ層と、を含むディスプレイ装置。
（１５）上記（１４）に記載のディスプレイ装置において、前記周期的利得領域は、有機ホスト材料と、ドーパントと、を含むディスプレイ装置。
（１６）上記（１４）に記載のディスプレイ装置において、前記スペーサ層は、ポンプビーム光および微小共振器光に対してほぼ透明であるディスプレイ装置。
（１７）上記（１６）に記載のディスプレイ装置において、前記スペーサ層は、１，１−ビス（４−ビス（４−メチルフェニル）アミノフェニル）シクロヘキサンまたは二酸化ケイ素を含むディスプレイ装置。
（１８）上記（１５）に記載のディスプレイ装置において、前記周期的利得領域の、青色光を発する部分は、２−ｔｅｒｔ−ブチル−９，１０−ジナフタレン−２−イル−アントラセンであるホスト材料と、２，５，８，１１−テトラキス（１，１−ジメチルエチル）ペリレンであるドーパントと、を含むディスプレイ装置。
（１９）上記（１４）に記載のディスプレイ装置において、前記周期的利得領域は、ポリマー系材料を含むディスプレイ装置。
（２０）上記（１４）に記載のディスプレイ装置において、前記周期的利得領域は、無機ナノ粒子を含むディスプレイ装置。